(57)【要約】【課題】所定のネットワークに接続された複数の電子内視鏡装置を有する電子内視鏡システムであって、電子内視鏡装置の使用者が、他の電子内視鏡装置の使用者からの評価が高い電子内視鏡装置設定用の設定値を得ることが可能なものを提供する。【解決手段】電子内視鏡システムは、複数の電子内視鏡装置とネットワークを介して接続され複数の電子内視鏡装置とデータ通信可能に構成された設定値提供サーバと、電子内視鏡装置の動作パラメータの設定値を前記サーバに送信する設定値送信手段とを備え、設定値提供サーバは、複数の電子内視鏡装置から該設定値を受信する設定値受信手段と、設定値受信手段により受信した該設定値に基づいて参照用設定値を生成する参照用設定値生成手段と、参照用設定値を複数の電子内視鏡装置に送信可能に構成された参照用設定値送信手段と、を有する。【選択図】  図１
2008012180.tif 000002
【特許請求の範囲】
【請求項１】
複数の電子内視鏡装置と、
前記複数の電子内視鏡装置とネットワークを介して接続され、前記複数の電子内視鏡装置とデータ通信可能に構成された設定値提供サーバと、
前記電子内視鏡装置の動作パラメータの設定値を前記サーバに送信する、設定値送信手段と、を備えた電子内視鏡システムであって、
前記設定値提供サーバは、
前記複数の電子内視鏡装置から該設定値を受信する、設定値受信手段と、
前記設定値受信手段により受信した該設定値に基づいて参照用設定値を生成する、参照用設定値生成手段と、
前記参照用設定値を、前記複数の電子内視鏡装置に送信可能に構成された、参照用設定値送信手段と、
を備えたことを特徴とする、電子内視鏡システム。
【請求項２】
該参照用設定値が前記内視鏡装置の推奨設定値を含み、
前記電子内視鏡装置は、該推奨設定値の送信をリクエストする推奨設定値リクエスト手段を有し、
前記設定値提供サーバは、前記設定値受信手段により受信した該設定値を設定値情報として複数記憶するデータ記憶手段を有し、
前記参照用設定値生成手段は、前記データ記憶手段に記憶された複数の設定値情報に基づいて該推奨設定値を生成し、
前記参照用設定値送信手段は、生成された推奨設定値を該推奨設定値の送信をリクエストした電子内視鏡装置に送信する、
ことを特徴とする請求項１に記載の電子内視鏡システム。
【請求項３】
前記推奨値リクエスト手段は、該推奨設定値の送信をリクエストする際に前記電子内視鏡装置に接続されている電子内視鏡の情報を前記設定値提供サーバに送信する、ことを特徴とする請求項２に記載の電子内視鏡システム。
【請求項４】
前記参照用設定値生成手段は、該複数の設定値情報に含まれる頻度の最も高い設定値を該推奨設定値として選択する、ことを特徴とする請求項２から３のいずれかに記載の電子内視鏡システム。
【請求項５】
前記設定値送信手段は、設定値と共にこの設定値に対する評価情報を前記設定値提供サーバに送信可能であり、
前記参照用設定値生成手段は、該複数の設定値情報に含まれる設定値の頻度を該評価情報によって重み付けし、重み付け後の頻度が最も高い設定値を該推奨設定値として選択する、ことを特徴とする請求項２から３のいずれかに記載の電子内視鏡システム。
【請求項６】
前記設定値送信手段は、設定値と共にこの設定値を設定した使用者に関する使用者情報を前記設定値提供サーバに送信可能であり、
前記電子内視鏡装置は、特定の使用者によって設定された設定値の前記設定値提供サーバからの取得をリクエストする為の特定設定値取得リクエスト手段を有し、
該参照用設定値が特定の使用者によって設定された設定値を含み、
前記参照用設定値生成手段は、該特定の使用者によって設定された設定値を抽出し、
前記参照用設定値送信手段は、抽出された設定値を該設定値の送信をリクエストした電子内視鏡装置に送信する、
ことを特徴とする請求項１から５のいずれかに記載の電子内視鏡システム。
【請求項７】
前記設定値送信手段は、前記電子内視鏡装置に内蔵されている、ことを特徴とする請求項１から６のいずれかに記載の電子内視鏡システム。
【発明の詳細な説明】
【技術分野】
【０００１】
本発明は、所定のネットワークに接続された複数の電子内視鏡装置を有する電子内視鏡システムに関する。
【背景技術】
【０００２】
電子内視鏡は、電子内視鏡のＣＣＤからの画像信号を処理してモニタ等の出力手段に表示させる為の信号処理装置（プロセッサ）と接続されて電子内視鏡装置として使用される。近年、電子内視鏡装置とサーバとを所定のネットワーク（ＬＡＮ等）を介して接続し、電子内視鏡やプロセッサの管理を行う電子内視鏡システムが考案されている。例えば、特許文献１の内視鏡システムにおいては、電子内視鏡の操作ボタンへの機能の割り当て情報をサーバから取得可能となっている。
【特許文献１】特開２００４−２０９１５１
【０００３】
しかしながら、上記のような構成においては、予め電子内視鏡装置の機種ごとに決められた設定値を受信するのみであり、例えば他の術者からの評価が高い設定値を得る、といった複雑な処理には対応していない。
【発明の開示】
【発明が解決しようとする課題】
【０００４】
上記の問題に鑑み、本発明は、他の電子内視鏡装置の使用者からの評価が高い設定値を得ることが可能な電子内視鏡システムを提供することを目的とする。
【課題を解決するための手段】
【０００５】
上記の目的を達成する為、本発明の電子内視鏡システムは、複数の電子内視鏡装置とネットワークを介して接続され複数の電子内視鏡装置とデータ通信可能に構成された設定値提供サーバと、電子内視鏡装置の動作パラメータの設定値を前記サーバに送信する設定値送信手段とを備え、設定値提供サーバは、複数の電子内視鏡装置から該設定値を受信する設定値受信手段と、設定値受信手段により受信した該設定値に基づいて参照用設定値を生成する参照用設定値生成手段と、参照用設定値を複数の電子内視鏡装置に送信可能に構成された参照用設定値送信手段と、を有する。
【０００６】
ここで、例えば参照用設定値が内視鏡装置の推奨設定値を含み、電子内視鏡装置は推奨設定値の送信をリクエストする推奨設定値リクエスト手段を有し、設定値提供サーバは、前記設定値受信手段により受信した設定値を設定値情報として複数記憶するデータ記憶手段を有し、参照用設定値生成手段はデータ記憶手段に記憶された複数の設定値情報に基づいて該推奨設定値を生成し、参照用設定値送信手段は生成された推奨設定値を該推奨設定値の送信をリクエストした電子内視鏡装置に送信する、構成としてもよい。このような構成とすると、他の術者が採用した設定値に基づいた最適な推奨設定値を得ることが可能である。
【０００７】
また、参照用設定値生成手段は、複数の設定値情報に含まれる頻度の最も高い設定値を推奨設定値として選択する構成としてもよい。或いは、設定値送信手段は、設定値と共にこの設定値に対する評価情報を設定値提供サーバに送信可能であり、参照用設定値生成手段は複数の設定値情報に含まれる設定値の頻度を評価情報によって重み付けし、重み付け後の頻度が最も高い設定値を該推奨設定値として選択する構成としてもよい。
【０００８】
また、設定値送信手段は、設定値と共にこの設定値を設定した使用者に関する使用者情報を設定値提供サーバに送信可能であり、電子内視鏡装置は、特定の使用者によって設定された設定値の設定値提供サーバからの取得をリクエストする為の特定設定値取得リクエスト手段を有し、参照用設定値が特定の使用者によって設定された設定値を含み、参照用設定値生成手段は特定の使用者によって設定された設定値を抽出し、参照用設定値送信手段は抽出された設定値を設定値の送信をリクエストした電子内視鏡装置に送信する。
【０００９】
このような構成とすると、電子内視鏡装置の使用者は、例えば、著名な医師による設定値を参照しながら設定値を適宜設定することが可能となる。
【発明の効果】
【００１０】
以上のように、本発明によれば、他の術者からの評価が高い設定値を得ることが可能な電子内視鏡システムが実現される。
【発明を実施するための最良の形態】
【００１１】
以下、本発明の実施の形態につき、図面を参照して説明する。図１は、本実施形態の電子内視鏡システムの全体を示すブロック図である。図１に示されているように、本実施形態の電子内視鏡システム１は、それぞれ電子内視鏡１１０とプロセッサ１２０とモニタ１３０とから成る複数の電子内視鏡装置１００と、この電子内視鏡装置１００と所定のネットワークを介して接続される設定値提供サーバ２００とを備える。電子内視鏡装置１００のプロセッサ１２０と、設定値提供サーバ２００とを接続するネットワークは例えばイーサネット（登録商標）等を利用したＬＡＮ（Ｌｏｃａｌ  Ａｒｅａ  Ｎｅｔｗｏｒｋ）である。或いは、電子内視鏡装置１００のプロセッサ１２０がＡＤＳＬ、ダイヤルアップ接続などを用いてインターネット経由で設定値提供サーバ２００に接続する構成であっても良い。
【００１２】
プロセッサ１２０には、電子内視鏡１１０が着脱可能に接続される。プロセッサ１２０は、接続されている電子内視鏡１１０のライトガイドに照明光を供給する為の光源装置としての機能を有する。さらにプロセッサ１２０は、電子内視鏡１１０のＣＣＤによって撮像された映像信号を処理し、処理の結果得られた映像を所定の形式（ＮＴＳＣ形式など）の映像信号に変換し、これをモニタ１３０やその他の出力装置（ビデオプリンタ等、不図示）の出力手段に出力する信号処理装置としての機能をも有する。
【００１３】
プロセッサ１２０は、電子内視鏡１１０からの映像信号を処理する際、画像信号に各種画像処理を行うことができる。例えば、画像の輝度を調整するブライトネス調整処理、画像のγ値を調整するγ値調整処理、画像のエッジ強調を行うエンハンス処理、画像の色差補正を行うカラーバランス調整処理を行う。
【００１４】
本実施形態の構成においては、これらの画像処理の際に用いる設定値を設定値提供サーバ２００からネットワークを介して取得することができる。プロセッサ１２０に接続される電子内視鏡１１０は、一般にその電子内視鏡１１０によって観察される部位（呼吸器、胃、十二指腸、直腸等）に応じて異なる種類のものが使用される。このため、接続された電子内視鏡１１０の種類に応じて最適な画像処理の設定値はある程度決まってくるものと考えられる。ただし、電子内視鏡装置１００の術者の嗜好等によってこの最適値は変動しうる。
【００１５】
このため、本実施形態の電子内視鏡システム１においては、電子内視鏡装置１００が術者のユーザＩＤと、電子内視鏡１１０の機種ＩＤとを設定値提供サーバ２００に送信し、設定値提供サーバ２００はこれらのＩＤを用いて最適な設定値を算出する。算出された設定値は、電子内視鏡装置１００に送信され、電子内視鏡装置１００のプロセッサ１２０はこの設定値を用いて画像処理を行う。
【００１６】
ここで、電子内視鏡装置１００の術者が、設定値提供サーバ２００より提供された設定値で電子内視鏡１１０による観察に不具合を感じた場合は、手動操作でこの設定値を適宜調整することができる。また、この設定値の調整が完了した後、術者の操作によってこの設定値を設定値提供サーバ２００に送信することができる。送信された設定値は、以降の設定値算出時に利用される。
【００１７】
設定値提供サーバ２００の構成に付き、以下説明する。図２は、設定値提供サーバ２００のブロック図である。設定値提供サーバ２００は、各種設定値情報を記憶するストレージ（記憶装置）２１０と、このストレージ２１０から設定値情報を読み出して最適な設定値を算出する設定値演算ユニット２２０と、電子内視鏡装置１００との間で情報（設定値、ＩＤ等）の送受信を行う為のネットワークアダプタ２３０とを有する。
【００１８】
設定値情報は、図３のような形式でストレージに保存されている。すなわち、設定値ＩＤ、ユーザＩＤ、機種ＩＤ、評価点、データ公開の可否情報、設定値がこの順に記録されるようになっている。
【００１９】
設定値ＩＤとは、内視鏡装置からの設定値情報ごとに付与されるユニークなＩＤであり、各設定値情報を識別する為のＩＤである。また、評価点とは、術者が設定値を設定値提供サーバ２００に送信する時に入力可能な値であり、これは設定値、ユーザＩＤ、機種ＩＤと共に設定値提供サーバ２００に送信可能である。本実施形態においては、評価点は３段階評価であり、評価点３が高い評価、評価点１が低い評価、評価点２が中間の評価を示す。なお、本実施形態においては、術者が特に評価点を設定しない場合は中間の評価、すなわち評価点２が設定値提供サーバ２００に送信される。データ公開の可否情報とは、このデータを術者の氏名とともに他のユーザに送信しても良いかどうかを判別する為のフラグである。この情報は、後述する設定値閲覧機能にて使用される。
【００２０】
本実施形態においては、設定値演算ユニット２２０は、以下の手順によって設定値の推奨値を算出する。まず、電子内視鏡１００の術者が本実施形態のシステムを使用する為に、術者のユーザ登録が行われる。本実施形態において、電子内視鏡装置１００を起動すると、図４の様なログイン画面が電子内視鏡１００に接続されたモニタ１３０に表示される。術者は、この画面を参照しながら電子内視鏡１００に接続されたキーボードやマウスを操作してユーザＩＤ及びパスワード（後述）を入力し「ＯＫ」ボタンを操作する（例えばマウス等のポインティングデバイスを操作してこのボタンの上にカーソルを移動し、そこでポインティングデバイスのボタンをクリックする）と、ユーザＩＤが設定値提供サーバ２００に送信される。術者にユーザＩＤがまだ与えられていない場合は、図中の「新規登録」ボタンを操作する。そうすると、図５に示されるユーザ登録画面がモニタ１３０上に表示される。
【００２１】
次に、術者は、ユーザ登録画面を参照しながら術者の氏名、パスワードを入力する。次いで、術者は「登録」ボタンを操作して登録処理を完了させる。この結果、パスワード、術者氏名、電子内視鏡装置１００の設置場所情報（病院名）から構成される登録情報が設定値提供サーバ２００に送信される。なお、設置場所情報はこの電子内視鏡装置１００を設置する際に電子内視鏡装置１００の図示しない記憶手段（ハードディスクなど）に記録され、登録時に記憶手段から読み出されて設定値提供サーバ２００に送信される。設定値提供サーバ２００は、この登録情報を受信すると、ユニークなユーザＩＤを生成してこの登録情報に関連づけた上で、このユーザＩＤを電子内視鏡装置１００に送信する。受信されたユーザＩＤは、電子内視鏡装置１００のモニタに表示される。これによって、術者は図４のログイン画面でユーザＩＤとパスワードを入力してこれを設定値提供サーバ２００に送信できるようになる。
【００２２】
図４のログイン画面を操作してユーザＩＤを設定値提供サーバ２００に送信すると、電子内視鏡装置１００のモニタには、図６の自動設定選択画面が表示される。術者は、この画面を参照しながらマウス等を操作して、設定値を設定値提供サーバ２００から得るか、それとも手動で設定値を入力するかの選択を行う。
【００２３】
図６の画面において、「設定を自動的に行いますか？」という問い合わせに対して「Ｙｅｓ」ボタンを操作をして、設定値を設定値提供サーバ２００から得ることを術者が選択した場合は、その選択が設定値提供サーバ２００に報知され、設定値提供サーバ２００は後述する手法により適切な設定値を算出し、これを電子内視鏡装置１００に送信する。この結果、電子内視鏡装置１００のモニタには、図７のような設定確認画面が表示される。
【００２４】
設定確認画面には、設定値提供サーバ２００から送信された設定値（推奨値）が表示される。具体的には、現在使用している内視鏡と同一の型の内視鏡を使用した全ての術者の評価結果に基づいて算出された第１推奨値と、現在この電子内視鏡装置１００を使用している術者自身による評価結果に基づいて算出された第２推奨値とが表示される。術者は、この設定確認画面を参照して、第１推奨値と第２推奨値のいずれを使用するか、或いはこの推奨値を修正して使用するかの選択を行う。
【００２５】
また、図７において、図中の「第１推奨値に基づいて手動修正」ボタン又は「第２推奨値に基づいて手動修正」ボタンを操作して、推奨値を修正することを選択した場合は、図８の設定値入力画面が表示される。ここで、各設定値は、ボタン操作によって選択された第１又は第２推奨値の設定値がそのまま使用される。
【００２６】
なお、この設定値入力画面は、図６の設定値選択画面において手動で設定値を入力することを術者が選択した場合（すなわち、図６の「設定を自動的に行いますか？」という問い合わせに対して「Ｎｏ」ボタンを操作した場合）にも表示される。この時図８に表示される設定値は後述のデフォルト値が使用される。図７の設定確認画面には、推奨値を今後のデフォルト値とするかどうかを選択するためのチェックボックスＣＢ１が表示されている。このチェックボックスＣＢ１はマウスによって操作される度にオン／オフがトグルされるようになっており、チェックボックスＣＢ１がオンになった状態で「第１推奨値を使用」又は「第２推奨値を使用」ボタンが操作されると、以降図６の自動設定選択画面において「設定を自動的に行いますか？」という問い合わせに対して「Ｎｏ」ボタンが操作された時に図８の設定値入力画面に表示されるデフォルト値がここで選択された第１又は第２推奨値の設定値となる。
【００２７】
設定値入力画面においては、術者は所望の設定項目に対してキーボード又はマウス等を適宜操作して、設定値を入力する（例えば、キーボードを用いて設定値を直接入力するか、所望の設定項目の「△」（ＵＰ）「▽」（ＤＯＷＮ）ボタンをマウスを用いて操作して設定値を増減する）。次いで、「ＯＫ」ボタンを操作して設定値の入力を完成させる。これによって、設定値が電子内視鏡装置１００に記憶され、以降はこの設定値にて各種画像処理が行われる。また、図７の設定確認画面において、「このパラメータでよいですか？」という問い合わせに対して「Ｙｅｓ」ボタンを操作して、設定値提供サーバ２００から送信された設定値を使用することを術者が決定した場合は、その設定値が電子内視鏡装置１００に記憶され、以降はこの設定値にて各種画像処理が行われる。また、設定値入力画面には、ここで入力された設定値を今後のデフォルト値とするかどうかを選択するためのチェックボックスＣＢ２が表示されている。このチェックボックスＣＢ２はマウスによって操作される度にオン／オフがトグルされるようになっており、チェックボックスＣＢ２がオンになった状態で「Ｙｅｓ」ボタンが操作されると、以降図６の自動設定選択画面において「設定を自動的に行いますか？」という問い合わせに対して「Ｎｏ」ボタンが操作された時に図８の設定値入力画面に表示されるデフォルト値がここで入力された設定値となる。
【００２８】
なお、術者は内視鏡による診断、処置などを行っている際に所定の操作（キーボードの所定のキーを押すなど）を行うことによって、図８の設定値入力画面を呼び出し、設定値を適宜修正することができる。
【００２９】
この後、術者は内視鏡による診断や処置などを行う。診断、処置の終了後、または途中で術者はこの設定値の評価を行うことができる。評価を行う際は、図９の評価入力画面が電子内視鏡装置１００のモニタ上に表示される。術者はこの評価入力画面を参照して評価点を入力し、これを設定値提供サーバ２００に送信する。また、この際、術者は術者自身の氏名を他の登録ユーザに公開しても良いかどうかの選択が行われる。この選択結果は設定値情報の「データ公開の可否情報」として設定値サーバ２００に送信される。
【００３０】
設定値提供サーバ２００による推奨値の算出は、以下の手順によって行われる。
【００３１】
まず、第１推奨値の算出手順につき説明する。電子内視鏡装置１００の術者の操作によって第１推奨値の提供がリクエストされる（図６）と、電子内視鏡装置１００は、術者のユーザＩＤ、電子内視鏡１１０の機種ＩＤを設定値提供サーバ２００に送信する。なお、電子内視鏡１１０の機種ＩＤは、電子内視鏡１１０に内蔵されているＥＥＰＲＯＭ内に記憶されており、電子内視鏡装置１００はＥＥＰＲＯＭに記憶されている機種ＩＤを読み取り、これを設定値提供サーバ２００に送信する。
【００３２】
設定値提供サーバ２００の設定値演算ユニット２２０は、最初に、受信した機種ＩＤと一致する設定値情報を全て抽出する。次いで、設定値の項目（輝度調整値、γ値調整値、エンハンスレベル、カラーバランス補正値）ごとに、設定値のヒストグラムを演算する。この時、評価点を用いてヒストグラムの重み付けを行う。すなわち、評価が低い、すなわち評価点が１であるような設定値情報は−１回とカウントし、また、評価が高い、すなわち評価点が３であるような設定値情報は２回とカウントする。
【００３３】
また、輝度調整値のように、設定値の範囲が広い（例えば−１２８〜１２７）範囲をとりうるものについては、一定の範囲ごとに設定値をグループ化した上でヒストグラムを作成する。すなわち、例えば輝度調整値については、設定値が−１２８〜−９７、−９６〜−６５、−６４〜−３３、−３２〜−１、０〜＋３１、＋３２〜＋６３、＋６４〜＋９５、＋９６〜＋１２７、をとるものを夫々１グループとし、グループ毎に頻度をカウントする。
【００３４】
このように、ヒストグラムを作成したうえで、設定値の項目のそれぞれについて、最も頻度の高い設定値を推奨する設定値として選択する。例えば、設定値情報のサンプル数が１００で、輝度調整値が下記の表１に示すような分布を示している場合は、輝度調整値−６４〜−３３が推奨する設定値として選択される。なお、実際の推奨設定値は、−６４〜−３３の中間である−４８となる。
【００３５】
【表１】
2008012180.tif 000003
【００３６】
以上算出された推奨設定値は、第１推奨値として電子内視鏡装置１００に送信される。なお、評価点による重み付けを行わず、頻度のみで第１推奨値を決定しても良い。
【００３７】
以上算出された第１推奨値は、複数の電子内視鏡装置１００の使用者全員の設定値に基づいて算出されるものである。したがって、この第１推奨値には術者の嗜好などが考慮されていない。そこで、術者が過去に送信した設定値に基づいて、サーバ２００は第２推奨値を算出し、これを子内視鏡装置１００に送信する。具体的には、ストレージ２２０内に保存された設定値情報のうち、設定値の推奨値の提供をリクエストした術者のユーザＩＤ及びこの術者が使用している電子内視鏡１１０の機種ＩＤを有する物を全て抽出する。次いで、抽出した設定値情報のうち重み付け後の頻度がもっとも大きい設定値情報を第２推奨値とする。 以上の手順にて決定した第２推奨値は、電子内視鏡装置１００に送信される。これらの第１、第２推奨値は図７の設定値確認画面に表示されることになる。なお、この内視鏡１１０について術者が評価を行っていない場合、又は評価点が３であるような設定値が存在しない場合は、第２推奨値の算出を行わない。この場合には図７の第２推奨値の表示エリアには設定値は表示されず、また、図７の「第２推奨値を使用」「第２推奨値に基づいて手動修正」ボタンは操作できないようになる。
【００３８】
本実施形態の電子内視鏡システム１は、術者が他の術者の設定値を閲覧する為の設定値閲覧機能を有する。術者が電子内視鏡装置１００を操作して所望の術者の氏名を入力してこの術者の設定値の取得をリクエストすると、電子内視鏡装置１００からその術者の氏名が設定値提供サーバ２００に送信される。設定値提供サーバ２００は、受信した術者の氏名を用いてストレージ２２０内に記憶された登録情報を検索し、その術者のユーザＩＤを特定する。さらに、このユーザＩＤを含み、且つ「データ公開の可否情報」において設定値と術者氏名の公開が許可されているような設定値情報を抽出する。
【００３９】
次いで、設定値提供サーバ２００、この抽出した設定値情報のうち、所定の条件（例えば１ヶ月以内に評価された設定値である、又は評価点が３の設定値である、等）に合致したものを選択し、これを電子内視鏡装置１００に送信する。電子内視鏡装置はこの設定値情報を受信すると、その内容（設定値及び評価点）をモニタに表示する。これによって、術者は他の術者の設定値およびその設定値に対する評価を知ることができ、この設定値を参考にして、設定値を適宜調整することができる。
【００４０】
以上のように、本実施形態の構成によれば、電子内視鏡装置１００の術者は、適切な設定値を設定値提供サーバ２００から取得する、及び／または他の術者による設定値を閲覧することが可能となる。
【００４１】
また、本実施形態のシステムを電子内視鏡１１０や電子内視鏡装置１００のフィールドテストに使用することも可能である。このシステムをフィールドテストに使用することによって、多数の術者による設定値と評価値とを速やかに集めることが可能となり、この結果から最適な設定値を算出することができる。この結果得られた設定値を電子内視鏡１１０のＥＥＰＲＯＭに記憶させておくことによって、電子内視鏡装置１００を設定値提供サーバ２００に接続しない、スタンドアロンの状態で使用する場合であっても、適切な設定値が選択されることになる。
【００４２】
なお、本実施形態においては、機種ＩＤは電子内視鏡装置に接続されている電子内視鏡の機種ＩＤであるが、この代わりに電子内視鏡装置の機種ＩＤを用いてもよく、また、電子内視鏡装置の機種ＩＤとこの電子内視鏡装置に接続されている電子内視鏡の機種ＩＤの双方を設定値提供サーバに送信する構成としてもよい。
【図面の簡単な説明】
【００４３】
【図１】本発明の実施の形態の電子内視鏡システムの全体を示すブロック図である。
【図２】本発明の実施の形態の設定値提供サーバのブロック図である。
【図３】設定値提供サーバに記憶されている設定値情報の一例である。
【図４】電子内視鏡装置のモニタに表示されるログイン画面の一例である。
【図５】電子内視鏡装置のモニタに表示されるユーザ登録画面の一例である。
【図６】電子内視鏡装置のモニタに表示される自動設定選択画面の一例である。
【図７】電子内視鏡装置のモニタに表示される設定確認画面の一例である。
【図８】電子内視鏡装置のモニタに表示される設定値入力画面の一例である。
【図９】電子内視鏡装置のモニタに表示される評価入力画面の一例である。
【符号の説明】
【００４４】
１    電子内視鏡システム
１００    電子内視鏡装置
１１０    電子内視鏡
１２０    電子内視鏡用プロセッサ
２００    設定値提供サーバ
２１０    設定値演算ユニット
２２０    ストレージ
２３０    ネットワークアダプタ
【図１】
2008012180.tif 000004
【図２】
2008012180.tif 000005
【図３】
2008012180.tif 000006
【図４】
2008012180.tif 000007
【図５】
2008012180.tif 000008
【図６】
2008012180.tif 000009
【図７】
2008012180.tif 000010
【図８】
2008012180.tif 000011
【図９】
2008012180.tif 000012